Podtech/llm-jp-corpus-v4-ja_patent huggingface dataset:
(57)【要約】【課題】チヌ釣りに使用する錘付釣り針を製作する際に、錘によって釣り針のフトコロが狭められることなく、錘を確実に取り付け得るようにすることを目的とするものである。【解決手段】握り部の先端部に、平面部を有する顎部と、垂直方向の板状部を有する顎部とを向かい合せ状にして配置させるとともに、握り部の操作により、顎部と顎部とを接近させ得るように構成したことを特徴とする錘カシメ具。【選択図】      図１
2004329054.tif 000002
【特許請求の範囲】
【請求項１】
握り部２の先端部に、平面部６を有する顎部４と、垂直方向の板状部５を有する顎部３とを向かい合せ状にして配置させるとともに、握り部２の操作により、顎部３と顎部４とを接近させ得るように構成したことを特徴とする錘カシメ具。
【発明の詳細な説明】
【０００１】
【発明が属する技術分野】
この発明は、釣り針の軸部に錘（ワリビシ）を取り付ける際に使用するカシメ具に関するものである。
【０００２】
【従来の技術】
チヌ釣を行なう場合、釣り針の軸部に錘を取り付けて針の沈みを速くするという方法が採られているのであるが、錘の取り付けは、図２に示すような錘（ワリビシ）１１に形成された凹部１２に、釣り針の軸部に差し入れて、ペンチで錘の胴部を挟み込んで締め付けるという方法によって行なわれるのが普通である。
【０００３】
【発明が解決しようとする課題】
釣り針に付ける錘として使用される錘１１は、図２に示すとおり、球形状の鉛体の中心部に向けてＶ字状の切り込み部１２を形成した構成となっており、その切り込み部１２内に釣り針の軸を差し入れた状態にしてペンチ等の締め付け具でカシメた場合、錘１１が釣り針のフトコロ側に大きく張り出した形で固定されることになるのである。
【０００４】
しかし、釣り針の軸部から釣り針のフトコロ側に向って錘１１が張り出した形となった場合、釣り針のフトコロが狭くなるとともに、水中で針り先が前屈み状態になり、魚への掛りを悪くすることになるし、また、錘との係合部分が浅く、錘が不用意に外れて仕舞うことになるのである。
【０００５】
この発明は、従来のものにみられた、上記のような欠点を除去しようとするものである。
【０００６】
【課題を解決するための手段】
この発明は、釣り針の軸部に錘を取り付ける際に使用するカシメ具に関するものであり、握り部の先端部に、平面状の顎部と、垂直方向の板状部を有する顎部とを向かい合せ状にして配置させ、顎部によって、予め錘に釣り針の軸部を深く差し入れ得る形の凹部を形成できるようにし、釣り針に錘を付ける場合、錘が釣り針のフトコロ側に向って突出することなく確実に取り付け得るようにしようとするものである。
【０００７】
【実施例】
図面に基いて、この発明の実施例を説明すると、カシメ具本体１は、図２並びに図３に示すとおり、握り部２の先端部に、平面部６を有する顎部４と、垂直方向の板状部５を有する顎部３とを向かい合せ状にして配置させるとともに、握り部２の操作により、顎部３と顎部４とを接近させ得るように形成した構成となっているのである。
【０００８】
すなわち、握り部２は、やや屈曲した２個のレバー２ａ・２ｂを支点７によって支持し、手で握り締めることにより、レバー２ａ・２ｂの先端に形成した顎部３と顎部４とを接近させ得る構成となっているのである。
【０００９】
レバー２ａの先端に形成される顎部３は、先端部に垂直方向の板状部４を形成するとともに、それに続いて平面部（図面上示されていない。）を形成した構成となっており、また、基部側には、側壁部を残した形となるように凹部８を形成し、その壁部の下縁に刃付け加工を施した構成となっているのである。
【００１０】
また、れレバー２ｂの先端に形成される顎部４は、上面に平面部６を形成した構成となっており、その基部側には、側壁部を残した形となる凹部９を形成し、その壁部１０の上縁部に刃付け加工を施した構成となっているのである。
【００１１】
カシメ具本体１は、上記なような構成であって、その使用は次のような要領によって行なわれるのである。
すなわち、図３に示すとおり、カシメ具本体１の顎部３・顎部４を開いた状態にし、下顎部４の平面部の先端部に錘１１を置くとともに、錘１１に形成されたＶ字状の切り込み部１２内に上顎部３の板状部５が入り込むようにして配置した後、握り部２を握り締め、図４乃至図６に示すように、錘１１の切り込み部１２が錘１１の背部に向けて深くなるように変形させ、釣り針１４の軸部１５を差し入れ得る深い凹部１３を形成する。その後、図７に示すように、錘１１を顎部３に形成した平面部と顎部４の平面部で軽く挟んだ状態で保持するとともに、釣り針１４の軸部１５を凹部１３に差し入れた状態にして握り部２を強く握り締めて押圧するとうい方法によって行なわれるのである。それにより、錘１１は、図８に示すような形で釣り針１４の軸部１５に取り付けられることになるのである。
【００１２】
【発明の効果】
この発明にかかるカシメ部本体１は、上記のような構成となっており、それを使用することにより、チヌの落とし込み釣りに使用する錘付き釣り針を理想的な形に仕上げることができるという利点があるのである。
【００１３】
すなわち、釣り針の軸部に錘を付けた際に、錘の胴部が釣り針のフトコロ側に突出した形となった場合、釣り針のフトコロが狭くなるとともに、海中で針先側が下がり気味になり、チヌへの掛りを悪くすることになるのであるが、この発明にかかるカシメ具を使用することによって、釣り針１４の背側に向って錘１１が張り出した状態での取り付けが可能になり、チヌへの掛りを良好にし得るし、また、釣り針１４への取り付けを確実に行ない得るという利点があるのである。
【図面の簡単な説明】
【図１】カシメ具本体を示す斜視図である。
【図２】錘（ワリジシ）の構成を示す斜視図である。
【図３】カシメ具本体の使用要領を示す斜視図である。
【図４】錘の形状を示す斜視図である。
【図５】釣り針への錘の装着要領を示す斜視図である。
【図６】釣り針への錘の装着要領を示す斜視図である。
【図７】カシメ具本体の使用要領を示す斜視図である。
【図８】釣り針への錘の取り付け状態を示す斜視図である。
【符号の説明】
１  カシメ具本体
２  握り部
３  顎部
４  顎部
５  板状部
６  平面部
【図１】
2004329054.tif 000003
【図２】
2004329054.tif 000004
【図３】
2004329054.tif 000005
【図４】
2004329054.tif 000006
【図５】
2004329054.tif 000007
【図６】
2004329054.tif 000008
【図７】
2004329054.tif 000009
【図８】
2004329054.tif 000010
(57)【要約】【課題】作りおきの刺身等の表面が乾燥せず、しかも食感に違和感のないような乾燥防止方法を開発することを課題とする。【解決手段】ヤシ油を食品表面に塗布することによって課題を解決できることを見出した。【選択図】  なし【特許請求の範囲】
【請求項１】
ヤシ油を食品表面に塗布することを特徴とする食品乾燥防止方法。
【請求項２】
食品が、刺身であることを特徴とする請求項１記載の食品乾燥防止方法。
【発明の詳細な説明】
【０００１】
【発明の属する技術分野】
本発明は、作りおきの刺身等の表面が乾燥せず、しかも食感に違和感のないような乾燥防止方法に関する。
【０００２】
【従来の技術】
宴会場、料理屋あるいは仕出屋等で生鮮食品、特に刺身、生肉等を実際に食事する時まで長時間かかる場合、これらの生鮮食品等の表面が乾燥し、色合いが落ち味も低下することとなる。
【０００３】
従って、できるだけ食事直前まで包丁をいれずにおくか、生鮮食品をポリフィルムで覆うというような手段で、乾燥を防止している。しかし、時間のロスや手間がかかる等の欠点がある。
【０００４】
特開昭５９−１２００５７号公報（特許文献１）には、蛋白性凝固食品の乾燥防止法として、蛋白性凝固食品の表面に植物性多糖類と甘味性糖類との混合溶液を塗布することを特徴とする蛋白性凝固食品の乾燥防止法が記載されている。
しかしながら、この方法で実施すると表面に塗布した糖類のために、蛋白性凝固食品の味が甘味を持ち本来の味が損なわれるという欠点を有していた。
【０００５】
【特許文献１】
特開昭５９−１２００５７号公報
【０００６】
【発明が解決しようとする課題】
作りおきの刺身等の表面が乾燥せず、しかも食感に違和感のないような乾燥防止方法を開発することを課題とする。
【０００７】
【課題を解決するための手段】
本発明者等は、上記課題を解決すべく鋭意努力した結果、ヤシ油を用いることが有効であることを見出した。
【０００８】
すなわち、本発明は
（１）    ヤシ油を食品表面に塗布することを特徴とする生鮮食品乾燥防止方法、
（２）    食品が、刺身であることを特徴とする（１）記載の食品乾燥防止方法
に関する。
【０００９】
ヤシ油は、熱帯地方の海岸に繁茂するココヤシの実の核から採取した油で、白色ないし淡黄色で脂肪酸の組成は、ラウリン酸４０〜４５％、ミリスチン酸２０〜２４％、カプリン酸１０〜１９．５％、パルミチン酸７〜１０．５％、ステアリン酸５％、オレイン酸６．３％である。
【００１０】
食品表面への塗布は、ヤシ油をＬＰＧでエアゾール化して噴霧してもよいし、あるいは刷毛等で塗布してもよいが、噴霧のほうが均一かつ迅速に実行し得る。
また、食品としては魚介類・肉の刺身、生鮮魚介類、生肉、生鮮加工品、野菜、果物、御飯等が挙げられる。
本発明をより具体的に説明するために、以下のような実施例を示すが本発明はこれに拘束されるものではない。
【００１１】
【発明の実施の形態】
（実施例１）
大腸菌の増減につき試験を行うため、鮪、鯵を刺身にして本発明品と未処理品（対照品）との比較実験を行った。
【００１２】
ヤシ油を刺身表面に塗布した本発明品と刺身表面に何も塗布していない刺身とを、２４時間常温放置し、その後冷蔵庫で４８時間保管した。そして、再び常温に３時間放置した後大腸菌群を測定した。
茨城県薬剤師会公衆衛生検査センターにおいての、大腸菌群数測定の結果を表１に示す。検査方法はデソキシコレート法によった。
【００１３】
【表１】
2004329046.tif 000002
【００１４】
表１から、鮪も鯵も対照品に比べて本発明品の方が、大腸菌群の数が少ないことがわかる。すなわち、本発明品は大腸菌の増殖防止にも有効であることを示している。
【００１５】
（実施例２）
実施例としてヤシ油９０部、ＬＰＧ１１０部をエアゾール化したものを、マグロの刺身に塗布し表面状態、水分蒸発、味、臭いを観察した。
【００１６】
一方、比較例として
▲１▼  紅花油９０部、ＬＰＧ１１０部をエアゾール化したものを、マグロの刺身に塗布し表面状態、水分蒸発、味、臭いを観察した。
▲２▼  ナタネ油９０部、ＬＰＧ１１０部をエアゾール化したものを、マグロの刺身に塗布し表面状態、水分蒸発、味、臭いを観察した。
▲３▼  ゴマ油９０部、ＬＰＧ１１０部をエアゾール化したものを、マグロの刺身に塗布し表面状態、水分蒸発、味、臭いを観察した。
【００１７】
【表２】
2004329046.tif 000003
【００１８】
表２から明らかなように、未処理では１０．４％減量している。これは乾燥によって水分が蒸散したことに基因する。一方実施例及び比較例では共に７〜８％程度の減量で済んでいる。
【００１９】
しかしながら、表３をみると塗布時の臭いが実施例は無味無臭であるのに対して、比較例では油臭、なたね臭あるいはごま臭があり、食感についても実施例では、良好であるのに対して、比較例では油感がするという欠点があった。
すなわち、本発明品は乾燥が少ない上に、無味無臭で食感も良好であることがわかる。
【００２０】
【表３】
2004329046.tif 000004
【００２１】
【発明の効果】
本発明の方法によって、作りおきの刺身等の表面が乾燥せず、しかも食感に違和感がない状態を保つことができる。
(57)【要約】【課題】肉を柔らかくし肉汁性に富みしかも果実の色や臭い等が肉に着いたり、うつったりするのを防止できるから揚げ方法を提供する。【解決手段】パパイアまたはパイナップルの果汁に焼酎等アルコールを混ぜ、所定時間放置後、この抽出液を晒し等で搾り、この搾り液に苦汁等の凝固剤を加えて固めて上澄み液を採取し、この上澄み液を含有する漬け汁に肉を漬け、から揚げ粉をまぶして油で揚げる。【特許請求の範囲】
【請求項１】
パパイアまたはパイナップルの果汁にアルコールを混ぜ、所定時間放置して得られた抽出液から上澄み液を採取し、この上澄み液を含有する漬け汁に肉を漬け、から揚げ粉をまぶして油で揚げることを特徴とする、から揚げ方法。
【請求項２】
前記上澄み液は、前記抽出液をさらに晒し等で搾り、この搾り液に苦汁等の凝固剤を加えて固めて採取する、請求項１記載のから揚げ方法。
【請求項３】
パパイアまたはパイナップルの果汁にアルコールを混ぜ、所定時間放置して得られた抽出液から採取した上澄み液からなることを特徴とする、調理用液。
【請求項４】
前記上澄み液は、前記抽出液をさらに晒し等で搾り、この搾り液に苦汁等の凝固剤を加えて固めて採取する、請求項３記載の調理用液。
【発明の詳細な説明】
【０００１】
【発明の属する技術分野】
本発明は、肉が柔らかく揚がりかつ肉汁性に富むから揚げ方法及び調理用液に関する。
【０００２】
【従来の技術】
パパイア果実をすりつぶして作った果汁に肉を浸すことで、パパイア果実に多く含まれる蛋白質分解酵素（パパイン）の作用により肉が軟らかくなることはよく知られている。また、かかるパパイン酵素をから揚げ粉に配合し、このから揚げ粉を付けた肉をから揚げすることも公知である（例えば、特許文献１参照。）。
【０００３】
【特許文献１】
特開平５−２５２９１１号公報
【０００４】
【発明が解決しようとする課題】
しかるに、パパイアをすりつぶして作った果汁に鶏肉や豚肉を浸すと、パパイアの持つ黄色が肉に着いて肉が本来持つ色とは異なる色に変色し、またパパイアの独特の臭いやや味が肉にうつるという問題があった。
【０００５】
本発明は、このような問題を解消するためになされたものであり、その目的とするところは、肉を柔らかくし肉汁性に富みしかもパパイアやパイナップルの色や臭い等が肉に着いたり、うつったりするのを防止できるから揚げ方法及び調理用液を提供することにある。
【０００６】
【課題を解決するための手段】
本発明のから揚げ方法は、パパイアまたはパイナップルの果汁にアルコールを混ぜ、所定時間放置して得られた抽出液から上澄み液を採取し、この上澄み液を含有する漬け汁に肉を漬け、から揚げ粉をまぶして油で揚げることに特徴を有するものである。
この場合において、前記上澄み液は、前記抽出液をさらに晒し等で搾り、この搾り液に苦汁等の凝固剤を加えて固めて採取することができる。
【０００７】
本発明の調理用液は、パパイアまたはパイナップルの果汁にアルコールを混ぜ、所定時間放置して得られた抽出液から採取した上澄み液からなることに特徴を有するものである。
この場合においても、前記上澄み液は、前記抽出液をさらに晒し等で搾り、この搾り液に苦汁等の凝固剤を加えて固めて採取することができる。
【０００８】
【作用】
上記構成のから揚げ方法によれば、肉に付ける上澄み液はパパイアに含まれるパパイン酵素やパイナップルに含まれるブロメライン酵素を含有し、この酵素によるたんぱく質分解作用により肉が柔らかくなり、また揚げた後の肉の重量変化が少なく、旨味を含んだ肉汁の流出を防止できて肉汁性に富み、美味しいから揚げ物が得られる。
【０００９】
パパイアやパイナップルの果汁にアルコールを混ぜ、所定時間放置して得られた抽出液から採取した清澄な上澄み液は、パパイアやパイナップルの持つ黄色を殆ど呈することなく、無色透明に近いので、パパイアやパイナップルの黄色が肉に着いて肉が本来持つ色とは異なる色に変色するのを防止できる。また上澄み液は、パパイアやパイナップルが持つ独特の臭いやくせがある味は薄らいでほとんど無くなるので、肉にそれらの臭いや味がうつるようなこともなくなる。
【００１０】
パパイアまたはパイナップルの果汁にアルコールを混ぜ、所定時間放置して得られた抽出液を、さらに晒し等で搾り、この搾り液に苦汁等の凝固剤を加えて固めて上澄み液を採取すると、速やかに、より清澄な上澄み液を得ることができる。
【００１１】
【発明の実施の形態】
本発明のから揚げ方法は、パパイアまたはパイナップルの果汁とアルコールとの液体混合物から上澄み液を採取し、この上澄み液を加えた漬け汁に鶏肉、豚肉あるいは牛肉を漬け、から揚げ粉をまぶして油で揚げるというものである。
【００１２】
上澄み液は、熟成したパパイアまたはパイナップルをジューサー等ですりつぶし、この果汁に高度のアルコール、例えば焼酎（３５％のホワイトリカー）を果汁の量と同量だけ混ぜ、この液体混合物を一晩程度寝かせておいてパパイアの場合はパパイン、パイナップルの場合はブロメラインの抽質を抽出する。ついで、この抽出液は、速やかに、より清澄な上澄み液を得るために、さらに晒し等で搾って搾り液と搾りかすとに分け、この搾り液に苦汁等凝固剤を適量加えて固めて上澄み液を採取する。この上澄み液は、パパイアやパイナップルの持つ黄色をほとんど呈することがなく、無色透明に近い。
【００１３】
次に、から揚げの製法の一例をあげると、上記上澄み液に卵（３個）、適量の醤油、酢、香辛料等の調味料を混ぜて漬け汁を作り、この漬け汁（２００ｃｃ）に鶏肉切身（１ｋｇ）を３０分間程漬けこんで味をつけ、小麦粉、片栗粉等のから揚げ粉（２００ｇ）をまぶして１６５°Ｃの油で３分間揚げ、数分間室温で放置する。再度、１６５°Ｃの油で１分間以内で揚げる。
【００１４】
このようにして得たから揚げは肉が柔らかく肉汁性に富みジューシーで、しかもパパイアやパイナップルの色や臭い、独特の味が肉に着いたりうつったりするようなことがなかった。
【００１５】
上記のようにしてパパイアやパイナップルの果汁液から得た上澄み液は、から揚げ以外の肉料理にも用いることができる。例えば、水炊きやすき焼きに用いる肉に、事前にこの上澄み液を付けておいて使用することもできる。
【００１６】
【発明の効果】
本発明によれば、パパイアやパイナップルの果汁にアルコールを混ぜ、所定時間放置して得られた抽出液から採取した上澄み液を用いるので、肉を柔らかくし肉汁性に富みしかも果実の色や臭い等が肉に着いたり、うつったりするのを防止できて有利である。
(57)【要約】【課題】本発明は、鍋器の外側面に取付ける継手部材の取付構造を改良し、ビス頭部を鍋器の内側面に突設しない取付け手段を構成し、調理用鍋として使用勝手のよい衛生度の高いものを提供することを目的とする。【解決手段】本発明は、鍋器体１の外側面適所に介装材２を設け、この介装材の基板３の左右両側部にはビス４，４をその頭部５，５を基板の裏側に位置せしめて固着するとともに中央部には突起７を突設し、前記介装材を被嵌する継手部材９の取付部の左右両側部には前記ビスを挿通する通孔１２，１２を設け挿通後のビス端部を固着４’，４’して介装材に連結し、前記継手部材の取付部の中央部に設けた凹溝１３には前記介装材の突起部を係着し、前記継手部材の柄部には柄杆を固着して成るものである。【選択図】    図４
2004329392.tif 000002
【特許請求の範囲】
【請求項１】
鍋器体の外側面適所に介装材を設け、この介装材の基板の左右両側部にはビスをその頭部を基板の裏側に位置せしめて固着するとともに中央部には突起を突設し、前記介装材を被嵌する継手部材の取付部の左右両側部には前記ビスを挿通する通孔を設け挿通後のビス端部を固着して介装材に連結し、前記継手部材の取付部の中央部に設けた凹溝には前記介装材の突起部を係着し、前記継手部材の柄部には柄杆を固着して成ることを特徴とする鍋柄の取付装置。
【発明の詳細な説明】
【０００１】
【発明の属する技術分野】
本発明は、鍋柄の取付装置に関するものである。
【０００２】
【従来の技術】
従来、調理用の鍋にあっては、片手鍋でも両手鍋でも、その柄部の取付け手段としては、鍋器の外側面に取付ける継手部材を、鍋器の内側面からビスを挿入し先端部を継手部材側でかしめて固着していたから、ビス頭部が鍋器の内側面に突設したままの状態で残ることになるため、鍋器の使用時にこのビス頭部が障害となり、その周囲に調理中の食材が引っかかり調理しにくかったり、食材等の残滓が付着して簡単に脱離しなくなったり、衛生上問題になっていた。
【０００３】
【発明が解決しようとする課題】
そこで、本発明はこのような欠点を一掃するため、前記継手部材の取付構造を抜本的に改良し、ビス頭部を鍋器の内側面に突設しない取付け手段を構成することによって、調理用鍋としての使用勝手がよくかつ衛生的な鍋器を提供することを目的とするものである。
【０００４】
【課題を解決するための手段】
本発明は、鍋器体の外側面適所に介装材を設け、この介装材の基板の左右両側部にはビスをその頭部を基板の裏側に位置せしめて固着するとともに中央部には突起を突設し、前記介装材を被嵌する継手部材の取付部の左右両側部には前記ビスを挿通する通孔を設け挿通後のビス端部を固着して介装材に連結し、前記継手部材の取付部の中央部に設けた凹溝には前記介装材の突起部を係着し、前記継手部材の柄部には柄杆を固着して成るものである。
【０００５】
【発明の実施の形態】
いま鍋器体に柄杆を取付けるときは、片手鍋であろうと両手鍋であろうと、鍋器体の外側面適所に固着している介装材の基板の左右両側部から突出しているビスに対し、継手部材の取付部の左右両側部に設けた通孔をそれぞれ挿通した後、このビスの端部をかしめて継手部材を介装材を介して鍋器体に固着するが、この挿通時には前記介装材の中央部にある突起が継手部材の取付部の中央部にある凹溝に係合するから、これによって継手部材は介装材に確実に固定される。
【０００６】
しかる後に、継手部材の柄部に所定の柄杆を取付けて連結する。
【０００７】
【実施例】
１は鍋器体で、その形状や大きさなどは自由である。
【０００８】
２は鍋器体１の外側面適所に設置した介装材で、この介装材は一枚の基板３の左右両側部にビス４，４を，その頭部５，５を基板の裏側に位置せしめて固着する。このビスの数は任意である。
【０００９】
このビス４，４は、介装材の内側が凹部に外側が凸部に成る通孔６，６に係着するから、ビス頭部５，５は前記凹部内に係合するようになる。
【００１０】
７は前記介装材２の中央部に外方に切起して突設した突起である。
【００１１】
８・・は前記のような構成に成る介装材２を鍋器体１に固着する溶接部である。
【００１２】
９は継手部材で、この継手部材の取付部１０の前側面部は凹弧面１１に成り、この取付部の凹弧面部の左右両側部には前記ビス４，４の数と同数の通孔１２，１２を設ける。この通孔１２，１２に挿通した前記ビス４，４の端部は、後でかしめ止め４’４’して固着し、継手部材９を介装材２に連結固定するように成る。
【００１３】
１３は前記継手部材９の取付部１０の中央部に設けた凹溝で、この凹溝には前記介装材２部に継手部材９の取付部の凹弧面部１１を嵌合したとき、介装材２の中央部の突起７が係着するようになる。
【００１４】
１４は前記継手部材９の柄部で、この柄部には適当な形状と長さに成る柄杆１５が取付くようになる。また、本件発明にかかる柄杆の設置は片手鍋，両手鍋を問わない。
【００１５】
【発明の効果】
本発明の柄杆の取付手段にあっては、柄杆を取付けるために必要なビスの頭部が、鍋器体の内側面部には全く表出していない構造に成るから、各種の食物を調理するために使用しても、調理中にビス頭部の周囲に食材が引っかかったり、食材の残滓がビス頭部の周囲に付着するような現象は全く起ることはなく、常に清潔な状態に鍋器を維持しておくことができるようになり、食中毒の発生などは皆無となり、鍋器における柄杆の取付構造の抜本的な改良によって達成される効果は大きいものである。
【図面の簡単な説明】
【図１】全体の組立て前の各部材の斜視図で、円で囲んだ部材は、同一部材の裏側部分を示すものである。
【図２】一組立て前の要部の斜視図
【図３】他組立て前の要部の斜視図
【図４】図３Ａ−Ａ線の断面図
【図５】組立て後の要部の斜視図
【符号の説明】
１                    鍋器体
２                    介装材
３                    基板
４，４                ビス
５，５                頭部
６，６                通孔
７                    突起
９                    継手部材
１０                  取付部
１２，１２            通孔
１３                  凹溝
【図１】
2004329392.tif 000003
【図２】
2004329392.tif 000004
【図３】
2004329392.tif 000005
【図４】
2004329392.tif 000006
【図５】
2004329392.tif 000007
(57)【要約】【課題】現在使用中のラケットのガットに装着して、ゲーム中のストロークの安定、バランス感覚の養成などに役立てること。【解決手段】テニスラケット１のガット２の一方側に重さ調整可能な板状ウエイト３を添え前記ガットの反対側に板状ウエイト３を添え、両板状ウエイト３を金具４で脱着可能に装着する。【選択図】      図１
2004329350.tif 000002
【特許請求の範囲】
【請求項１】
テニスラケットのガットの一方側に重さ調整可能な板状ウエイトを添え、前記ガットの反対側に板状ウエイトを添え、両板状ウエイトを金具で脱着可能に装着したことを特徴とする素振り用テニスウエイト。
【請求項２】
テニスラケットのガットの一方側に重さ調整可能な板状ウエイトを添え、前記ガットの反対側を金具で脱着可能に装着したことを特徴とする素振り用テニスウエイト。
【発明の詳細な説明】
【０００１】
【発明の属する技術分野】
この発明は、現在使用中のテニスラケットに板状ウエイトをつけた素振り用運動具である。
【０００２】
【従来の技術】
素振り用テニスラケットは、特許文献１に提案されている。
【０００３】
この特許文献１に記載されているものは、笛を取り付けたプレートをラケットに装着して基本であるフラットの面の状態でボールが当たるように素振りを行い、空気の抵抗を利用し笛を鳴らして面を意識させることにより安定した良いフォーム造りができるラケット用トレーニングプレートである。
【特許文献１】特開２０００−５１４２８
【０００４】
【発明が解決しようとする課題】
本発明の目的は、現在使用中のラケットのガットに装着して、ゲーム中のストロークの安定、バランス感覚の養成などに役立てることができるテニス用素振りウエイトを提供することにある。
【０００５】
【課題を解決するための手段】
上記の目的を達成する為、請求項１の発明に係るテニス用素振りウエイトは、テニスラケットのガットの一方側に重さ調整可能な板状ウエイトを添え、前記ガットの反対側に板状ウエイトを添え、両板状ウエイトを金具で脱着可能に装着したことを特徴とする。また、請求項２の発明は、テニスラケットのガットの一方側に重さ調整可能な板状ウエイトを添え、前記ガットの反対側を金具で脱着可能に装着したことを特徴とする。
【０００６】
【発明の実施の形態】
本発明の実施例を図面を参照しながら説明する。図１はウエイトを装着したテニスラケットの平面図、図２はテニスラケットの側面図、図３はウエイト装着前のテニスラケットの側面図である。図においてテニスラケット１のガット２の一方側に重さ調整可能な板状ウエイト３を添え、前記ガット２の反対側に板状ウエイト３を添え、両板状ウエイト３を金具４で脱着可能に装着する。次に本発明の他の実施例を説明する。図４はウエイトを装着したテニスラケットの平面図、図５はテニスラケットの側面図、図６はウエイト装着前のテニスラケットの側面図である。図において、テニスラケット１のガット２の一方側に重さ調整可能な板状ウエイト３を添え、前記ガット２の反対側を金具４で脱着可能に装着する。
【０００７】
【発明の効果】
本発明によれば、テニスラケットのガットに重さ調整可能な板状ウエイトを脱着可能に装着することによりビギナーからプロまで活用してもらい、テニスに必要な筋力アップができ空気抵抗をうけて素振りすることでラケット面の調整（バランス感覚）が養える。また、板状ウエイトをつけることによりスピードとパワーが養われ、安定したプレーができ基本である正しいスイングを身につけることにつながる。
【図面の簡単な説明】
【図１】本発明のテニス用素振りウエイトを装着したテニス用ラケットの平面図である。
【図２】本発明のテニス用素振りウエイトを装着したテニス用ラケットの側面図である。
【図３】本発明のテニス用素振りウエイトを装着する前のテニス用ラケットの側面図である。
【図４】本発明の他の実施例であるテニス用素振りウエイトを装着したテニス用ラケットの平面図である。
【図５】本発明の他の実施例であるテニス用素振りウエイトを装着したテニス用ラケットの側面図である。
【図６】本発明の他の実施例であるテニス用素振りウエイトを装着する前のテニス用ラケットの側面図である。
【符号の説明】
１：テニスラケット
２：ガット
３：板状ウエイト
４：金具
【図１】
2004329350.tif 000003
【図２】
2004329350.tif 000004
【図３】
2004329350.tif 000005
【図４】
2004329350.tif 000006
【図５】
2004329350.tif 000007
【図６】
2004329350.tif 000008
(57)【要約】      （修正有）【課題】ワンタッチで手の甲に点滴用留置針を固定することのできる固定具を提供する。【解決手段】本体部１１、指部１２、副子１８、接続部１３からなる留置針固定具である。本体部１１は、手を巻くことのできる幅を有すると共に手に巻いた状態で固定する係止具１４，１６を有する。副子１８は、本体部の中に設けた収納部分１９に出し入れ自由に取り付けられる。指部１２は、少なくとも１本の指を巻くことのできる幅を有すると共に指に巻いた状態で固定する係止具１５，１７を有する。接続部１３は、前記本体部１１と前記指部１２の間をつなぐ。【選択図】  図１
2004329615.tif 000002
【特許請求の範囲】
【請求項１】
手を巻くことのできる幅を有すると共に手に巻いた状態で固定する係止具（１４，１６）を有する本体部（１１）と、
前記本体部（１１）の中に設けた収納部分（１９）と、
前記収納部分（１９）に出し入れ自由に取り付けられる副子（１８）と、
少なくとも１本の指を巻くことのできる幅を有すると共に指に巻いた状態で固定する係止具（１５，１７）を有する指部（１２）と、
前記本体部（１１）と前記指部（１２）の間をつなぐ接続部（１３）からなることを特徴とする点滴用留置針の固定具（１０）。
【請求項２】
本体部（１１）及び指部（１２）の表裏布の間に緩衝材が入れられている請求項１記載の固定具。
【請求項３】
係止具が面ファスナである請求項１又は２記載の固定具。
【請求項４】
複数枚の副子（１８）を使用することにより厚みの調整が可能である請求項１ないし３のいずれかに記載の固定具。
【発明の詳細な説明】
【０００１】
【発明の属する技術分野】
本発明は、点滴用留置針の固定具に関し、特に手の甲に針を刺して点滴を行うための固定具に関する。
【０００２】
【従来の技術】
小児に点滴を行う場合、点滴部位として手の甲が選ばれるのが普通である。点滴をしているときに、小児の予測できないような動きのために針が抜けたり、ずれたりしないように固定することが必要である。この目的のために従来行われているのは「ソフトガーゼ固定法」と呼ばれているものである。この方法は、留置針を刺入後、延長チューブを接続し、ロックを行った上で刺入部を固定する。刺入部を固定するには、帯状ソフトガーゼで固定部分が８の字にクロスするように巻く。
【０００３】
【発明が解決しようとする課題】
この従来法は、次のような欠点がある。まず、帯状ソフトガーゼで何度も巻くので固定するのに時間がかかる。また、看護士等にとってもこの作業に熟練するのにある程度時間がかかる。さらに固定した後は、患者は指先をほとんど動かすことができなくなる。
【０００４】
本発明は、ワンタッチで手の甲に点滴用留置針を固定することができ、固定後も指を動かすことのできる固定具を提供することを目的とする。
【０００５】
【課題を解決するための手段】
本発明の点滴用留置針の固定具は、手を巻くことのできる幅を有すると共に手に巻いた状態で固定する係止具を有する本体部と、前記本体部の中に設けた収納部分と、前記収納部分に出し入れ自由に取り付けられる副子と、少なくとも１本の指を巻くことのできる幅を有すると共に指に巻いた状態で固定する係止具を有する指部と、前記本体部と前記指部の間をつなぐ接続部からなることを特徴とする。
【０００６】
【発明の実施の態様】
本体部、指部、接続部は、係止具を除き、柔らかい布で作られるのが好ましい。表裏２枚の布だけでもよいが、その間にウレタンなどの緩衝材を入れておくことが触感を柔らかくするために好ましい。
【０００７】
係止具としては、面ファスナが好ましいが、その他ボタン、スライドファスナなどであってもよい。
【０００８】
副子は、例えば薄いプラスチック板、厚紙、木板から形成される。１枚の副子では不十分なとき、２枚又は３枚挿入して厚みの調整をすることができる。
【０００９】
【実施例】
以下、添付の図面に基づき、本発明の実施例を説明する。
【００１０】
図１（ａ）は本発明の実施例に係る留置針の固定具１０の正面図、（ｂ）は裏面図である。図２は手に取り付けた状態を示すもので、（ａ）は手の甲側から見たとき、（ｂ）は手のひら側から見たときである。
【００１１】
この固定具１０の大きさは、少なくとも小児患者の手を巻くことのできる幅を有する。例えば、横方向最長長さが約２２ｃｍ、縦方向長さが約１５ｃｍである。図１から明らかなように、本体部１１と指部１２が狭小な接続部１３を介してつながれている。
【００１２】
本体部１１はほぼ四角形で表裏２枚の布の縁を縫い合わせてなる。表側には小児が喜びそうな絵や文字で装飾しておくことが好ましい。指部１２は少なくとも指２本を巻くことのできる長さであり、表裏２枚の布の縁を縫い合わせてなる。本体部１１及び指部１２の左右端部の何れかには表裏とも面ファスナ１４，１５；１６，１７が取り付けられている。全体は、面ファスナを除き、柔らかい布で作られている。表裏２枚の布だけでもよいが、その間にウレタンなどの緩衝材（図示せず）を入れておくことが触感を柔らかくするために好ましい。
【００１３】
手に固定するには、図２に示すように、本体部１１で手に巻き付けて表裏面ファスナ同士１４，１６を接着させ、指部１２で人差し指と中指の２本の指に巻き付けて表裏面ファスナ同士１５，１７を接着させる。
【００１４】
柔らかい布だけでは留置針がしっかりと固定できないので、副子１８と呼ばれる当て板を用いる。副子１８は、図１に示すように、表裏２枚の布の間にポケット状に形成された収納部分１９に収容され、本体の下側開口部２０から挿入及び取出しを行う。副子１８は、例えば薄いプラスチック板、厚紙、木板から形成される。１枚の副子では不十分なとき、２枚又は３枚挿入して厚みの調整をすることができる。
【００１５】
【発明の効果】
本発明の留置針の固定具１０によれば、次のような効果が得られる。まず、従来技術の帯状ソフトガーゼを何度も巻くような作業は不要であり、ワンタッチで手に取り付けることができる。指部の固定は人差し指と中指の２本を固定するだけなので、残りの指は自由に折り曲げたり、物をつかんだりすることが可能である。小児患者におもちゃを握らせるなどして、関心を他に向けさせることができる。
【図面の簡単な説明】
【図１】（ａ）は本発明実施例に係る留置針の固定具の正面図、（ｂ）は裏面図である。
【図２】本発明実施例に係る留置針手に取り付けた状態を示すもので、（ａ）は手の甲側から見たとき、（ｂ）は手のひら側から見たときである。
【符号の説明】
１０          固定具
１１          本体部
１２          指部
１３          接続部
１４−１６                面ファスナ
１８          副子
１９          収納部分
２０          下側開口部
【図１】
2004329615.tif 000003
【図２】
2004329615.tif 000004
(57)【要約】【課題】アワビが食する藻場と、アワビが棲み、海藻片を食する餌場ともなる魚礁とを兼ね備えると共に、アワビに必要な酸素を供給可能で、かつ組立や解体と、沈設や引き揚げが容易に行なえるアワビの棲み家を提供する。【解決手段】複数の波板１を高さ方向で平行に設置し、それぞれの波板１に型枠２を挟み込み、各波板１と型枠２とを連結棒で結合し、外側型枠１の上面にくぼみ４を設ける。【選択図】        図１
2004329135.tif 000002
【特許請求の範囲】
【請求項１】
複数の波板を高さ方向に平行または水平に対して一定の角度を有して設置し、それぞれの波板の間に型枠を挟みこみ、これらの波板と型枠とを連結棒で結合し、外側型枠の上面にくぼみを多数設けたアワビの棲み家。
【請求項２】
側面にアワビが上下に移動可能な通路を設けた請求項１記載のアワビの棲み家。
【請求項３】
波板の波の形状、大きさを夫々異なるようにした請求項１又は２記載のアワビの棲み家。
【発明の詳細な説明】
【０００１】
【発明の属する技術分野】
本発明は、組立・解体および沈設・引揚げが容易に行えるアワビの棲み家に関する。
【０００２】
【従来の技術】
近年、天然のアワビを生育する魚礁は減少してきており、アワビは高価な魚貝類となっている。
【０００３】
一方、アワビの育成環境に必要な要素としては、アワビが食する海藻などを育てる藻場と、アワビが外敵から身を守ることができて、太陽光線照射の少ない比較的暗い棲み家となる魚礁と、さらにアワビが必要とする酸素の確保を挙げることができる。通常、この酸素は空気を送り込んで、水中に溶け込ませる。
【０００４】
上記のごとき、アワビの育成環境に必要な要素を満たし得るアワビの棲み家の実現が特に近年求められている。
【０００５】
アワビの棲み家としては、様々な大きさのアワビの密生を期待すると共に、水中に設置した棲み家は沈設及び引揚げが容易に行なえて、その棲み家のメンテナンスや、アワビの採取が陸上で容易に行なえることが要請されている。
【０００６】
【発明が解決しようとする課題】
本発明は、アワビが食する海藻の取得と、アワビが外敵から身を守り、海藻片を食することができる餌場を形成できる魚礁とを備えると共に、アワビに必要な酸素を供給可能で、かつ組立や解体と、沈設や引き揚げが容易に行なえるアワビの棲み家を提供する。
【０００７】
【課題を解決するための手段】
本発明は、複数の波板を高さ方向に平行に設置し、それぞれの波板の間に型枠を挟みこみ、これらの波板と型枠とを連結棒で結合し、外側型枠の上面にくぼみを多数設けたアワビの棲み家からなり、またその場合、側面にアワビが上下に移動可能な通路を設けたり、波板の波の形状を夫々異なるようにしたアワビの棲み家からなる。
【０００８】
【発明の実施の形態】
以下図面を参照して本発明のアワビの棲み家の実施の形態につき説明する。
【０００９】
図１はアワビの棲み家Ａの側面斜視図であり、この棲み家Ａは、それぞれ大小の波型と、形状の異なる複数の波板１を高さ方向に夫々平行に設置し、それぞれの波板１に型枠２を挟み込み、これらの波板１と型枠２とを上下方向に連結棒３で結合し、連結棒３の上下両端に吊り金具６を夫々取付ける。
【００１０】
次に、上記の棲み家の側面に複数の通路５を設け、アワビがそこを上下に移動可能にしている。
【００１１】
さらに、型枠２の上面にはくぼみ４を多数設け、このくぼみ４にアワビが食する海藻等が付着し、生育しやすいようにしている。
【００１２】
この棲み家Ａは、波板１の波型の大きさを大小さまざまにしているので、アワビの大きさに合った大小の棲み家が形成され、アワビは昼間はこの波板１の内側の暗い場所でかくれており、夜間はくぼみにたまった海藻片を食べたり、通路５を通って上下に移動し、型枠２の上面の海藻等を食べる。
【００１３】
また、波板１は各段で互いに２方向に交差するようにしているので、アワビの出入りがどの方向からも自由に行なうことができ、かつそれにより水中の波による水の乱れが作られ、エアレーション効果が得られ、この棲み家Ａにアワビに必要な酸素を確保できる。
【００１４】
さらに本発明では、上下外側の型枠２の外側面には夫々くぼみ４を多数設け、しかも同じく吊り金具６も同様に両外側面に取付けているから、どちらの面を上にしてもよく、常にアワビの棲み家として使用できる。
【００１５】
このように本発明では多段に、波板１と型枠２を設け、しかも波板１の方向を四方に自由に向けて設置できるから、アワビの出入り、空気の出入りが四方向のどちらからも自由に可能であり、しかも段数は制限されないからアワビを大量に育成できるだけでなく、それらの波板１と型枠２を単に重ねて連結棒３で結合しさえすればよいので組立、解体、清掃、交換が自由に、容易に行なうことができるだけでなく、立体形状としてコンパクトで、設置場所をとらずに大量なアワビの育成を可能にすることができるのである。
【００１６】
【発明の効果】
以上に説明した本発明のアワビの棲み家は、大小様々な波板を用いることにより、アワビのサイズに合った棲み家を作ることができ、また各波板を型枠によって挟み込み、連結棒３で結合するので、波板のずれを防止するとともに、海底に設置した時の安定をはかることができ、四方向からの波を受け入れるから、波板を使用することで、水中に乱流や渦流を発生させ、アワビに必要な酸素を供給する。
【００１７】
また、型枠の上面にはくぼみを設けているので、アワビが好んで食する海藻片がそのくぼみにたまり、そこへ棲み家から出てきたアワビが海藻を食べることができる。
【００１８】
さらに、型枠にひさしやハンチを設けることにより、棲み家への泥や砂の進入や堆積を防止でき、また波板と型枠は連結棒で結合されているため、組立や解体が容易に行なえると共に、棲み家には吊り金具を取り付けることにより、棲み家の沈設や引き揚げが容易に行なえることから、メンテナンスやアワビの採取が陸上で行なえる。
【００１９】
また、本発明の棲み家は上下関係なく水中に設置することができ、通路が設けてあるので、アワビが各段に設けた棲み家へ移動することが自由にできる。
【００２０】
なお、このアワビの棲み家を大小設けて仕切ることにより、様々な大きさのアワビの密生が期待できる。
【図面の簡単な説明】
【図１】本発明のアワビの棲み家の一実施形態における側面斜視図である。
【符号の説明】
１    波板
２    型枠
３    連結棒
４    くぼみ
５    通路
【図１】
2004329135.tif 000003
(57)【要約】【課題】アワビ等の餌となる藻場と、その棲家とを適切な位置関係に設けてアワビ等の育成を効果的に行う。【解決手段】アワビ等の餌となる海藻類を生育させる藻場１を太陽光線が入射できる水深に設け、その藻場１より深い位置に、アワビ等の棲家となる魚礁用部材１５を設けた。【選択図】        図１
2004329133.tif 000002
【特許請求の範囲】
【請求項１】
アワビ等の餌となる海藻類を生育させる藻場を太陽光線が入射できる水深に設け、その藻場より深い位置に、アワビ等の棲家となる魚礁用部材を設けたアワビ等の育成施設。
【請求項２】
藻場とアワビ等の魚礁用部材を水深方向および／または水平方向に多数設けた請求項１に記載のアワビ等の育成施設。
【請求項３】
アワビ等の育成に必要な酸素を水中で供給可能な施設を設けてなる請求項１に記載のアワビ等の育成施設。
【発明の詳細な説明】
【０００１】
【発明の属する技術分野】
本発明は、主としてアワビ等の成育環境に必要な海藻類を生育させる藻場と、そこに比較的近くてアワビ等の移動が自在な棲家とを備えたアワビ等の育成施設に関する。
【０００２】
【従来の技術】
従来、アワビ等は夜行性で、主に太陽光線が届きにくい魚礁に生棲しているが、その餌となる海藻は光合成に必要な太陽光線が入射できる深さ、例えば、必ずしも清浄ではない海域では概ね水面下約５ｍ程度以内の深さの水中に生育させる。  従って、アワビ等を養殖する育成施設は、海藻の生育する藻場を太陽光線の届く水深５ｍ位までのところに設け、それより深いところにアワビ等が生棲する隠れ家を設けることで、海藻片等の餌が隠れ家近くに供給され、アワビ等は餌を食べることができることになる。また、藻場と隠れ家との間を移動可能にしてやれば、主に夜間に直接餌を食べることができることになる。
【０００３】
また、アワビ等の成育に必要な要素としては、その生育施設の水中に溶け込む充分な酸素の供給があげられる。
【０００４】
【発明が解決しようとする課題】
本発明は、太陽光線の少ないアワビ等の棲家と、その餌となる藻場とを適切な位置関係に設けたアワビ等の育成施設を提供する。
【０００５】
【課題を解決するための手段】
本発明は、アワビ等の餌となる海藻類を生育させる藻場を太陽光線が入射できる水深に設け、藻場より深い位置に、アワビ等の棲家となる魚礁用部材を設けたアワビ等の育成施設からなり、また藻場とアワビ等の魚礁用部材を水深方向および／または水平方向に多数設けたり、アワビ等の育成に必要な酸素を水中で供給可能な施設を設けたアワビ等の育成施設からなる。
【０００６】
【発明の実施の形態】
以下図面を参照して本発明のアワビ等の育成施設の各実施の形態につき説明する。
【０００７】
図１はその一実施形態における必ずしも清浄でない海域にある緩傾斜護岸に本発明の育成施設を設けた例である。
【０００８】
傾斜護岸の比較的浅い水深部分（例えば水面から５ｍ以内）に、藻が育成できるシート状や網状の面部材からなる藻場構造物１を傾斜護岸に沿って設けて藻場とし、それより深い水深のところ（例えば水深５ｍ以深）に、多数の凹凸を板の全面に有する波板２（図５参照）を傾斜して設け、その波板２を、アワビ等の棲家となる魚礁用部材１５とし、これら藻場構造物１と魚礁用部材１５との間をアワビ等が緩傾斜護岸に沿って移動を可能にしている。
【０００９】
また、その護岸頂面にはコンプレッサー３を配設し、それと接続した管４の下端を、波板２の下面に沿わせた部分に位置させ、その部分に多数の孔をあけた有孔管５とすることでその孔を通してエアレーションを行ない、アワビ等の育成に必要な酸素を水中で積極的に供給可能とした。
【００１０】
さらに、上記の波板２には適度な径の孔１３を複数設けられており、アワビ等はそれらの孔を利用して隠れ家の魚礁用部材１５に付着した海藻片を食すると共に、それらの多数の孔１３を海水が流通することにより酸素を供給する役目を果している。  次に、図２は図１と同様に緩傾斜護岸に適用した他の実施形態を示しており、緩傾斜護岸に沿って配設した藻場構造物１と、緩傾斜護岸との間に消波ブロック１６を介設し、それらの消波ブロックに波が当り、その作用により酸素を水中に供給してアワビ等の育成を助長する。そしてその下方に位置させた前記の波板２には多数の孔１３をあけ、それを魚礁用部材１５として利用し、アワビ等の棲家としている。勿論この場合も図１と同様にコンプレッサから管を導いてそれを波板２の下面のところに配設するようにして空気を供給することもできる。
【００１１】
またさらに、海底に盛土７を設けてその上面に太陽光線が入射可能にして海藻を生育させるようにして、アワビ等の餌となる海藻片を供給をすることもできる。
【００１２】
次に図３は、直立式護岸に本発明を適用した他の実施形態を示しており、直立した護岸の壁面の上方部分に、棒部材９および面部材１０からなる藻場構造物１を設けると共に、その下方部分に、水平に受材１１を設け、その上面に多数の孔１３を設けた波板２を載置してアワビ等の棲家となる魚礁用部材１５を形成する。
【００１３】
また、図４は桟橋１７に本発明を適用した他の実施形態を示しており、桟橋１７の橋脚１８を利用して、その上方部分には棒部材９と面部材１０からなる藻場構造物１を設け、その下方には水平に受材１１と、その上面には多数の孔１３を設けた波板２を載置してアワビ等の棲家となる魚礁用部材１５を形成する。
【００１４】
また図５は、多数の孔１３を設けた波板２を示すものであり、それらの孔は酸素の通過、海藻やアワビ等の移動を助長し、その波板２の凹凸がアワビ等の棲家の役目を果している。
【００１５】
【発明の効果】
以上に説明した本発明のアワビ等の育成施設によれば、アワビ等の餌となる海藻等の藻場を太陽光線の入射できる水深に設けると共に、アワビ等の棲家となる魚礁をそれより深い場所に設け、それら両施設間をアワビ等が移動可能なようにしており、それらの施設を深度方向別（概ね１０ｍの水深差の範囲）および平面別（１０ｍから５０ｍの範囲）に複数配置することにより、アワビ等の大量成育に適した良好な環境を形成することができる。
【００１６】
また、上記本発明の育成施設では、コンプレッサーによるエアレーション施設や、盛土や消波ブロックの砕波施設により、アワビ等の育成に必要な酸素を水中に積極的に供給できるので、海藻類やアワビ等の生育を促進することができる。
【図面の簡単な説明】
【図１】本発明の施設を緩傾斜護岸に設けた一実施施形態における概略側面図である。
【図２】本発明の施設を緩傾斜護岸に設けた他の実施形態における概略側面図である。
【図３】本発明の施設を直立護岸に設けた実施形態の概略側面図である。
【図４】本発明の施設を桟橋に設けた他の実施形態の概略側面図である。
【図５】本発明で用いる波板の斜視図である。
【符号の説明】
１    藻場（構造物）
２    波板
１５    魚礁用部材
【図１】
2004329133.tif 000003
【図２】
2004329133.tif 000004
【図３】
2004329133.tif 000005
【図４】
2004329133.tif 000006
【図５】
2004329133.tif 000007
(57)【要約】【課題】桟橋等の人工構造物を用いてアワビ等の藻場層と魚礁とを組み合わせて設置し、既存桟橋のエコロジカル空間化をはかると共に、都市部の魚釣り桟橋の提供をはかり得るアワビ等の育成施設を提供する。【解決手段】桟橋１２の杭２に沿って、太陽光が照射する深度に設けた藻場層３と、それより深い下方に設けたアワビ等の魚礁６を設ける。【選択図】        図１
2004329134.tif 000002
【特許請求の範囲】
【請求項１】
桟橋の杭の間に位置し、かつ太陽光が照射する深度に、アワビ等の餌となる藻場層を設け、その藻場層の下方にアワビ等の棲家となる魚礁を取付けたアワビ等の育成施設。
【請求項２】
桟橋の杭の側面に、周囲の波に乱れを与える突起物を設けた請求項１記載のアワビ等の育成施設。
【請求項３】
桟橋の杭の側面に、アワビ等が上下に移動可能なスロープを設けた請求項１または２記載のアワビ等の育成施設。
【請求項４】
藻場層に、多孔質の素材を用いた請求項１、２または３記載のアワビ等の育成施設。
【発明の詳細な説明】
【０００１】
【発明の属する技術分野】
本発明は、主として桟橋等のように必ずしも清浄でない海域における人工構造物を用いてアワビ等の育生をはかるアワビ等の育成施設に関する。
【０００２】
【従来の技術】
従来、桟橋などの人工構造部の存在する海域は必ずしも清浄ではなく、アワビ等の魚貝類の生棲には不適であったので、かゝる桟橋などがある場所でアワビ等を育成するということは考えられず、勿論実施もされていない。
【０００３】
【発明が解決しようとする課題】
本発明は、一般に清浄でない海域にある桟橋等の人工構造物を用いて、アワビ等の藻場層と魚礁とを組み合わせて設置し、既存桟橋のエコロジカル空間化をはかると共に、都市部の魚釣り桟橋の提供をはかり得るアワビ等の育成施設を提供する。
【０００４】
【課題を解決するための手段】
本発明は、桟橋の杭の間に位置し、かつ太陽光が照射する深度に、アワビ等の餌となる藻場層を設け、その藻場層の下方にアワビ等の棲家となる魚礁を取付けたアワビ等の育成施設からなり、またその桟橋の杭の側面に、周囲の波に乱れを与える突起物を設けたり、桟橋の杭の側面に、アワビ等が上下に移動可能なスロープを設けたり、またさらに、その藻場層に、多孔質の素材を用いるようにしたアワビ等の育成施設からなる。
【０００５】
【発明の実施の形態】
以下図面を参照して本発明のアワビ等の育成施設の実施の形態につき説明する。
【０００６】
図１はその一実施形態を示す概略側面図である。このアワビ等の育成施設は、桟橋１２の床版１の下方の杭２に沿って、必ずしも清浄でない海域にあっては水深約５ｍ以内の太陽光が照射する深度に水平方向に引き出し可能な受材４を設け、その上にアワビ等の餌となる海藻５、例えばカジメ等を根付けして藻場層３を形成し、藻場層３の位置より深くて、やや暗いところに、アワビ等の棲み家となる魚礁６を設ける。
【０００７】
この魚礁６としては、杭２に対し水平方向に引き出し可能な受材８上に、古タイヤ７または古パイプに孔を設けたものや、さらにその下部の海底上には沢山の捨石９を載置したものを用い、アワビ等が外敵から身をかくすことが可能となるような空間とアワビ等の餌となる海藻片がたまりやすい空間を形成している。
【０００８】
上記の藻場層３と魚礁６とはそれぞれパッケージ化し、それぞれ独立して据付や、撤去が可能な構造とし、藻場層３と魚礁６とは桟橋の杭２の延長方向に連続的にまたは部分的に設けられる。
【０００９】
また、桟橋１２の杭２には周囲の波に乱れを与える羽根状の棒状突起物１０を設け、海藻がちぎれ易くすると共にエアレーション効果により藻場層３や魚礁６の生物に充分な空気を供給して水中の酸素を確保するようにしている。
【００１０】
さらに、藻場層３の受材４は多孔質の素材として、海藻の付着を容易にすると共に、桟橋の杭２には、藻場層３と魚礁６との間をアワビ等が上下に移動可能とするためのスロープ１１を設け、アワビ等がスロープ１１に沿って藻場層３と魚礁６との間を移動することを容易にしている。
【００１１】
以上のように、本発明は桟橋の空間を利用して、即ちアワビ等の餌となる藻場層と、居場所と餌場となる魚礁とを桟橋の垂直方向に設けた杭の間に設けることにより、アワビ等の育成施設を作り得る利点を有する。
【００１２】
【発明の効果】
以上に説明した本発明のアワビ等の育成施設は、従来アワビ等の魚貝類と無縁であった桟橋の内部空間を活用して、アワビ等の藻場と魚礁とを組み合わせて設置することで、魚貝類を育成することが可能となり、エコロジカル空間を提供して釣り桟橋等の魅力を向上することが可能になる。
【００１３】
また、本発明は既存桟橋のエコロジカル化や、都市部の魚釣り桟橋に有効に適用することができる。
【図面の簡単な説明】
【図１】本発明のアワビ等の育成施設の一実施形態を示す概略側面図である。
【符号の説明】
１    床版
２    杭
３    藻場層
６    魚礁
１０    突起物
１１    スロープ
１２    桟橋
【図１】
2004329134.tif 000003